(57)【特許請求の範囲】
【請求項１】
脚で支持された机天板と、この机天板の後部に配置された上棚装置とを備えた机であって、
前記上棚装置は、その背面部に位置した棚枠と、水平状の載置板に仕切り板が取付けられていて前記棚枠の前面に重なるように配置された書棚とを備えており、前記書棚を棚枠に、仕切り板を上向きにした姿勢と仕切り板を下向きにした姿勢とのいずれの姿勢も選択自在でかつ、仕切り板を下向きにした姿勢でも載置板に本等を載置できるように取付けている、
学習机。
【請求項２】
前記書棚は、前記棚枠を構成する横桟に取付けており、更に、前記仕切り板が下向きになる姿勢で書棚を棚枠に取り付けた状態で仕切り板と机天板との間に間隔が空くように設定している、
請求項１に記載の学習机。
【発明の詳細な説明】
【０００１】
【発明の属する技術分野】
本発明は、学習机に関するものである。
【０００２】
【従来の技術・発明が解決しようとする課題】
従来技術として、例えば、実開昭５５−１６６５４４号公報及び実開平１−１６１６４３号公報では、机天板上に載置した上棚装置に移動式本立を設けるにおいて、本立を、上棚装置の棚板と後板とに当接する底板と背板とを備えると共に少なくとも左右一対の側板とを有する構成として、上棚装置における後板の表面に固着した横長のガイドレールの下向き開放状凹溝内に、本立における背板の上端縁を摺動可能に嵌合させることで、本立を机上棚の左右いずれの個所にも移動でき、且つ本立が前方向にずれ落ちることを防止した構成を提案している。
【０００３】
また、実開昭５５−１００５３７号公報や実開昭５８−１６８２６６号公報には、上棚装置や陳列棚における横長の桟に、ブックエンドまたは仕切り板の後端部を左右摺動自在に嵌合する構成が開示されている。
【０００４】
本発明は、更に学習机の上棚装置の使い勝手を良くすることを目的とするものである。
【０００５】
【課題を解決するための手段】
請求項１の発明は、脚で支持された机天板と、この机天板の後部に配置された上棚装置とを備えた机であって、前記上棚装置は、その背面部に位置した棚枠と、水平状の載置板に仕切り板が取付けられていて前記棚枠の前面に重なるように配置された書棚とを備えており、前記書棚を棚枠に、仕切り板を上向きにした姿勢と仕切り板を下向きにした姿勢とのいずれの姿勢も選択自在でかつ、仕切り板を下向きにした姿勢でも載置板に本等を載置できるように取付けている。
請求項２の発明は、請求項１において、前記書棚は、前記棚枠を構成する横桟に取付けており、更に、前記仕切り板が下向きになる姿勢で書棚を棚枠に取り付けた状態で仕切り板と机天板との間に間隔が空くように設定している。
【０００６】
【発明の効果】
本発明によると、書棚は、仕切りを上向きにした姿勢と下向きにした姿勢とに変更できると共に、いずれの姿勢でも載置板には本等を載置することができるため、本等の配置を自由に設定できて使い勝手が良い。
【０００７】
【発明の実施の形態】
次に、本発明の実施例について図面を参照しながら説明する。
【０００８】
≪第１実施形態≫
図１〜図４では第１実施形態を示している。図１は、上棚装置を備えた学習机（以下、「机」と略す）１の斜視図で、上棚装置は机天板５の後部に立設した棚枠２と移動式書棚３，４とを備えている。図２は要部側断面図である。
【０００９】
机１は木製であり、その上面を構成する机天板５はその左右両側下面が脚足６で支持されており、机天板５の下面には平抽斗７が前後移動可能に装着されている。机の内部には、キャスタ９付きのワゴン式袖抽斗１０が配置されている。
【００１０】
棚枠２は、左右一対の偏平板状の縦長の支柱１１と、この左右支柱１１の上端部位を連結する上横桟１２と、支柱１１の上下中途部位間を連結する中途横桟１３，１４と、下横桟１５等からなっている。これらはすべて木製であって、各部材は、所定の木組み及び埋め込みナットとビス等にて互いに連結されている。
【００１１】
上横桟１２の下部側には上棚板１６をビス等にて固定しており、この上棚板１６の下面には蛍光灯等の照明具１７を設け、その前部に、透明または半透明の合成樹脂製の横長のフード１８を装着している。
【００１２】
符号１９は、前記上棚板１６の左右両側端と支柱１１とを連結するための補強用ブラケットである。なお、上棚板１６の下面一側には、電気機器用の電源コンセント２０や照明具１７のＯＮ・ＯＦＦスイッチ２１等が配置されている。
【００１３】
前記棚枠２の支柱１１は、机１の後部側脚足６に取付け金具２２を介して着脱自在に連結されている（図２参照）。
【００１４】
符号３は、棚枠２に着脱自在且つ左右移動可能に装着される上移動式書棚３であり、この上移動式書棚３は、水平状の載置板２３と少なくとも左右両側板２４と背面板２５とからなる。符号４は下移動式書棚であり、この下移動式書棚４は、水平状の載置板２６と左右両側板２７と中仕切り板２８と背面板２９とから成っている。
【００１５】
上移動式書棚３における背面板２５の前面下方と左右両側板２４の後端との間には、前記上横桟１２の厚さ寸法に相当する下方開放状の切欠き係止部３０を形成している。図２に示すように、前記左右両側の切欠き係止部３０を上横桟１２の上縁に嵌合させると、上移動式書棚３における載置板２３が前記棚枠２における上棚板１６の上面に当接し、上移動式書棚３は上横桟１２に沿って左右移動可能となる。
【００１６】
また、前記左右両側に下向き開口の切欠き係止部３０を形成したことにより、背面板２５と左右両側板２４及び載置板２３の後端縁とで上横桟１２を前後に挟むことになっており、このため上移動式書棚３は上棚板１６から不用意に脱落しない。
【００１７】
なお、載置板２３の下面や切欠き係止部３０に摩擦係数の小さい合成樹脂材からなる滑り片（図示しない）を設けておけば、上移動式書棚３の移動時に本４５等の重みで棚板１６や上横桟１２の各表面が傷つくのを防止できる。
【００１８】
図３は下移動式書棚４の正面図である。この下移動式書棚４は、棚枠２の上下中途部位に平行状に配置した中途横桟１３，１４に、連結手段３１を介して左右移動可能で且つ着脱自在に装着している（図１及び図２参照）。
【００１９】
この場合、連結手段３１はねじ部３４から成っており、このねじ部３４は、大径の摘み部３２と、２本の中途横桟１３，１４間に挿入できる丸軸状のボス部３３と、該ボス部３３から突出して下移動式書棚４の左右両側板２７の背面に設けた埋め込みナット３５に螺着できるねじ部３４とにより構成されている。
【００２０】
このように構成すると、中途横桟１３，１４の背面側からボス部３３を上下両中途横桟１３，１４の隙間に嵌挿して、ねじ部３４を前面側に配置した下移動式書棚４の左右両側板２７に締着することにより、連結手段３１の大径摘み部３２が上下両中途横桟１３，１４の背面に当接するだけで横移動自在だから、下移動式書棚４を中途横桟１３，１４に沿って左右移動させることができる。
【００２１】
また、連結手段３１を一旦外して、図４に示すように、下移動式書棚４を上下逆さまに反転させた状態（載置板２６を上にした状態）にして、再度連結手段３１を介して一対の中途横桟１３，１４間に装着すれば、机天板５上に載置した大判の本４６の側面を、下移動式書棚４の側板２７または中仕切り板２８にて支えることができ、さらに、下移動式書棚４の載置板２６に本４７を載置することもできる。
【００２２】
なお、下移動式書棚４の側板２７や背面板２９の裏面が中途横桟１３，１４の表面に当接する個所には、前述の滑り片を設けておくことが好ましい。
【００２３】
≪第２実施形態≫
図５〜図７では、連結手段の別例である第２実施形態を示している。図５は平面図、図６は図５のVI−VI視断面図、図７は図６の VII-VII視拡大断面図である。
【００２４】
この実施形態では、下移動式書棚４における左右両側板２７の外面に上下長手で後面開放状の金属製等の取付け枠体３６を固着し、この取付け枠体３６に形成した内部溝３６ａに、上下に相対向するように配置された一対のフック体３７の基部３７ａを上下摺動自在に嵌挿している。
【００２５】
この場合、取付け枠体３６の内部溝３６ａに縦長の案内突条３８を形成する一方、各フック体３７における基部３７ａの左右両側面に、前記案内突条３８に嵌合する縦長の凹溝３９を形成することにより、取付け枠体３６に対する各フック体３７の取付けガタを防止すると共に、各フック体３７にて下移動式書棚４及び載置物の重量を確実に支持できるようにしている。
【００２６】
上下フック３７は、ねじ４０とナット４１とで取付け枠体３６に固定している。この場合、上側のフック体３７は高さ調節不能の状態で取付け枠体３６に固定されている一方、下部側のフック体３７は、その案内突条３８にねじ４０が嵌まる縦長の挿通孔４２を穿設することにより、高さ調節自在な状態で固定できるようになっている。
【００２７】
この実施例の連結手段においても、前記下移動式書棚４は、中途横桟１３，１４に対して左右移動可能及び着脱自在に装着できると共に、上下逆にした姿勢で装着することができる。なお、上下両フック体３７の両方の装着高さ位置を調節可能に構成しても良い。
【図面の簡単な説明】
【図１】学習机の全体斜視図である。
【図２】図１のII−II視拡大側断面図である。
【図３】下移動式書棚の正面図である。
【図４】下移動式書棚を上下逆して装着した場合の側断面図である。
【図５】連結手段の別例である第２実施形態の平面図である。
【図６】図５のVI−VI視断面図である。
【図７】図６の VII-VII視拡大断面図である。
【符号の説明】
１  学習机
２  棚枠
４  下部移動式書棚
５  机天板
１１  支柱
１２  上横桟
１３，１４  中途横桟
１６  上棚板
２３，２６  載置板
２４，２７  側板
２５，２９  背面板
２８  中央仕切り板
【図１】
0003696583.tif 000002
【図２】
0003696583.tif 000003
【図３】
0003696583.tif 000004
【図４】
0003696583.tif 000005
【図５】
0003696583.tif 000006
【図６】
0003696583.tif 000007
【図７】
0003696583.tif 000008